(57)【要約】【課題】ハンガーボックスについて、その高さを容易に変更できるようにする。【解決手段】ハンガーボックス本体２Ａの底面で側板２２，２３，２４，２５下端側から延設したフラップ２６ａ，２６ｂ，２６ｃ，２６ｄが水平方向に屈曲して底蓋を形成し、そのフラップ２６ａ，２６ｂが係合孔である係合構造２６０を各々備えており、横断面の形状・サイズがハンガーボックス本体２Ａの底面と略同一で上面側が総て開口した中空の直方体状に形成してなる延長ボックス３Ａに、下向きに開いたフラップ２６ａ，２６ｂ，２６ｃ，２６ｄを上方からその側板３６ａ，３６ｂ，３６ｃ，３６の裏面に近接させて係合孔である係合構造２６０と側板３６ａ，３６ｂの係合孔である係合構造３６０を各々係合部材３６１で係合させることで縦方向に接続し、内部空間１００が下方向に延長されるものとした。【選択図】図２
2020100409.tif 000002
【特許請求の範囲】
【請求項１】
平板状部材を縦長中空の直方体状に形成し、前記中空の内部空間上部側で左右の側板の間にハンガーを掛けるハンガーバーを架設してなるハンガーボックス本体と、横断面の形状・サイズが前記底面と略同一にして上面側が総て開口した中空の直方体状に平板状部材を形成してなる延長ボックスとからなり、
前記ハンガーボックス本体の底面は前後左右の側板下端側から各々延設された４枚のフラップが水平方向に屈曲して底板を形成可能であるとともに前記４枚のフラップのうち少なくとも対向する１組が係合構造を各々備えているとともに下向きに開いた前記４枚のフラップを上方から前記延長ボックスの前後左右の側板の表面又は裏面に各々近接させて前記係合構造と前記側板の対応位置に設けた係合構造を所定の係合手段で係合させることで縦方向に接続され、前記内部空間が下方向に延長されることを特徴とするハンガーボックス。
【請求項２】
前記フラップの係合構造または前記延長ボックスの側板の少なくとも一方の係合構造は、所定間隔で縦方向に複数箇所設けられており、係合位置を変えることで複数段階の高さ調整が可能とされていることを特徴とする請求項１に記載したハンガーボックス。
【請求項３】
前記フラップの係合構造は、対の係合部材で構成された面状ファスナの一方の係合部材で構成され、他方の係合部材が前記延長ボックスの側板の対応位置に配設されており、前記対の係合部材で係合手段を兼ねていることを特徴とする請求項１又は２に記載したハンガーボックス。
【請求項４】
前記ハンガーボックス本体の下端側に、前記係合手段を用いて前記延長ボックスを接続して内部空間を下方向に延長してなる請求項１，２又は３に記載したハンガーボックス。
【請求項５】
前記延長ボックスは、前記前後左右の側板の上端側から各々延設された４枚のフラップを備えており、該４枚のフラップを前記開口部の閉鎖方向に屈曲することで前記延長ボックスの上蓋を構成することを特徴とする請求項４に記載したハンガーボックス。
【発明の詳細な説明】
【技術分野】
【０００１】
本発明は、ハンガーボックスに関し、殊に、衣類をハンガーに掛けたまま収納して搬送するためのハンガーボックスに関する。
【背景技術】
【０００２】
衣類をハンガーに掛けた状態で収納・搬送するためのハンガーボックスは、引っ越しや衣類の販売において汎用されており、例えば、特開平１０−１７５６８８号公報や特開２
０１３−５６６８７号公報に記載されているように、段ボール等の軽量で安価な素材で構成されて比較的容易に組み立てられるものであって、特に、その内部にはハンガーを掛けるハンガーバーを備えており、背広や短尺のワンピース等の衣類をハンガーに掛けたまま折り畳まずに収納することができるものは折り畳んだりする手間を要さず、皺にならずに搬送先でそのままハンガーに掛けたままの衣類を使用できるという利点を有している。
【０００３】
ところで、搬送する衣類は背広のような短尺のものと例えばコートやワンピースのように長尺のものとがある。そのため、短尺の衣類と長尺の衣類が混在する場合に短尺用のハンガーボックスに収納する場合は、衣類の下端側を折り畳む必要が生じて皺の原因となりやすい。一方、長尺用のハンガーボックスを用いる場合は短尺の衣類の部分に無駄に空所が生じることになる。
【０００４】
そこで、長短２種類のハンガーボックスを用いることが考えられるが、複数種類のハンガーボックスを用意するに際し、製造が容易で無いことは勿論、引っ越し業者や購入者にとって保管スペースと在庫コストの無駄が生じやすくなるという問題がある。
【先行技術文献】
【特許文献】
【０００５】
【特許文献１】特開平１０−１７５６８８号公報
【特許文献２】特開２０１３−５６６８７号公報
【発明の概要】
【発明が解決しようとする課題】
【０００６】
本発明は、上記のような問題を解決しようとするものであり、ハンガーボックスについて、一種類の高さを有するハンガーボックスを用いて短尺衣類と長尺衣類とを無駄なく或いは皺を生じることなしに搬送可能なハンガーボックスを提供することを課題とする。
【課題を解決するための手段】
【０００７】
そこで、本発明は、平板状部材を縦長中空の直方体状に形成し、前記中空の内部空間上部側で左右の側板の間にハンガーを掛けるハンガーバーを架設してなるハンガーボックス本体と、横断面の形状・サイズが前記底面と略同一にして上面側が総て開口した中空の直方体状に平板状部材を形成してなる延長ボックスとからなり、前記ハンガーボックス本体の底面は前後左右の側板下端側から各々延設された４枚のフラップが水平方向に屈曲して底板を形成可能であるとともに前記４枚のフラップのうち少なくとも対向する１組が係合構造を各々備えているとともに下向きに開いた前記４枚のフラップを上方から前記延長ボ
ックスの前後左右の側板の表面又は裏面に各々近接させて前記係合構造と前記側板の対応位置に設けた係合構造を所定の係合手段で係合させることで縦方向に接続され、前記内部空間が下方向に延長されることを特徴とする。
【０００８】
このように、通常は底面における４枚のフラップが閉鎖された状態で背広などの短尺の衣類を収納して使用されるハンガーボックス本体において４枚のフラップを開き、上面が開口した延長ボックスの上方からその前後左右の側板に重ね合わせるように近接させ、係合構造を備えたフラップと側板の係合構造を係合手段で係合させることで延長ボックスに接続して内部空間の高さを延長してコートなどの長尺の衣類を収納する方式を採用したことにより、必要に応じてその高さを容易に変更できるようになるため、ひとつのサイズだけで様々なサイズの衣類の収納に対応可能なものとなる。
【０００９】
また、この場合、そのフラップの係合構造または延長ボックスの側板の係合構造は、所定間隔で縦方向に複数箇所設けられており、係合位置を変えることで複数段階の高さ調整が可能とされていることを特徴としたものとすれば、内部空間における細かい高さ調整が容易に行えるようになるため、収納・搬送における効率が一層高いものとなる。
【００１０】
更に、上述したハンガーボックスにおいて、そのハンガーボックス本体と延長ボックスとの係合構造は、対の係合部材で構成された面状ファスナ（「マジックテープ」（登録商標））の一方の係合部材で構成され、他方の係合部材が延長ボックスの側板の対応位置に配設されており、前記対の係合部材で係合手段を兼ねていることを特徴としたものとすれば、接続作業が一層容易なものとなる。
【００１１】
更にまた、上述したハンガーボックスの下端側に、前記係合手段を用いて前記延長ボックスを接続して内部空間を下方向に延長してなる上述したハンガーボックスとすれば、これを用いるだけで長尺の衣服をそのまま掛けた状態で収納・搬送できるものとなる。
【００１２】
この場合、その延長ボックスは、その前後左右の側板の上端側から各々延設された４枚のフラップを備えており、この４枚のフラップを開口部の閉鎖方向に屈曲することで延長ボックスの上蓋を構成することを特徴としたものとすれば、ハンガーボックスを延長した状態で延長ボックス側との間に仕切りを設けることが可能となり、且つ、ハンガーボックスを延長しない状態では、延長ボックスを通常の梱包箱として使用することが可能である
。
【発明の効果】
【００１３】
ハンガーボックス本体の底面を構成する４枚のフラップを、上面が開口した延長ボックスの前後左右の側板に上方から近接させながらその係合構造を側板の係合構造に係合手段で係合させることで延長ボックスと接続されてその内部空間を下向きに延長するものとした本発明によると、ハンガーボックスの高さを容易に変更できるものである。
【図面の簡単な説明】
【００１４】
【図１】本発明における第１の実施の形態のハンガーボックスの斜視図であって、（ａ）は通常の使用状態、（ｂ）は延長ボックスに接続するために下部フラップを開いた状態を示す。
【図２】（ａ）は図１（ｂ）のハンガーボックスを延長ボックスに接続するために位置合わせをしている状態の斜視図、（ｂ）は（ａ）の状態からハンガーボックスを延長ボックスに接続した状態の斜視図。
【図３】図２（ｂ）のハンガーボックスに衣類を収納した状態の縦断面図であって、（ａ）は衣類のみを収納した状態、（ｂ）は衣類に加え延長ボックス側に箱を収納した状態を示す。
【図４】ハンガーボックスを延長ボックスに接続するための係合手段の参考例を示す拡大した部分縦断面図であって、（ａ）は図３の係合部材に裏面側から補強部材を嵌合して係合した例、（ｂ）は挿入部の先端側を鈎状にして係合した例、（ｃ）は展開する爪部材で裏面側に係止して係合した例を示す。
【図５】図２（ｂ）の延長したハンガーボックスの応用例を示す斜視図。
【図６】本発明における第２の実施の形態のハンガーボックスの斜視図であって、（ａ）はハンガーボックスを延長ボックスに接続するために位置合わせをしている状態の斜視図、（ｂ）は（ａ）の状態からハンガーボックスを延長ボックスに接続した状態を示す。
【発明を実施するための形態】
【００１５】
以下に、図面を参照しながら本発明を実施するための形態を説明する。尚、本発明において、段ボールには紙製のものに加え、所謂プラスチック段ボールと呼ばれる樹脂製のもの、及び紙製と樹脂製の素材が混成したものも含まれるものとする。
【００１６】
図１は、本実施の形態であるハンガーボックス本体２Ａを示しており、図１（ａ）は扉２４０を閉めた通常の使用状態、図１（ｂ）はハンガーボックス本体２Ａの底面（底蓋）を構成するフラップ２６ａ，２６ｂ，２６ｃ，２６ｄを下向きに開くとともに、内部構造を見せるために側板２４から扉２４０を開いた状態を示している。
【００１７】
このハンガーボックス本体２Ａは、平板状部材である段ボールが縦長中空の直方体状に形成され、その中空の内部空間上部側で左右の側板２２，２３の間にハンガーを掛けるハンガーバー２００が架設されてなるものであり、その底面では４枚の側板２２，２３，２
４，２５の下端側から各々延設された４枚のフラップ２６ａ，２６ｂ，２６ｃ，２６ｄが水平方向に屈曲して底蓋を形成している。
【００１８】
その４枚のフラップ２６ａ，２６ｂ，２６ｃ，２６ｄのうち、対向する１組である左右のフラップ２６ａ，２６ｂには、そのほぼ中央位置に円形の切欠による係合孔である係合構造２６０が各々開口している。そして、図２（ａ）に示す延長ボックス３Ａの上部側に
、ハンガーボックス本体２Ａの下部側を上方から接続することでその内部空間１００が下方向に延長されて、その高さが容易に変更可能なものとなっており、この点が本発明における最大の特徴部分となっている。
【００１９】
即ち、図２（ａ）に示すように、ハンガーボックス本体２Ａの下端側で下向きに開いた４枚のフラップ２６ａ，２６ｂ，２６ｃ，２６ｄを、横断面の形状・サイズがハンガーボ
ックス本体２Ａの底面と略同一にして上面側が総て開口した中空の直方体状に段ボールを形成してなる延長ボックス３Ａに、上方からその前後左右の側板３６ａ，３６ｂ，３６ｃ
，３６ｄの裏面に各々重ねるように近接させた状態で、フラップ２６ａ，２６ｂの係合孔である係合構造２６０，２６０と側板３６ａ，３６ｂの係合孔である係合構造３６０，３
６０を係合手段である係合部材３６１，３６１を用いて各々係合させることにより、図２（ｂ）に示すように、フラップ２６ａ，２６ｂと側板３６ａ，３６ｂが一体化して、延長ボックス３Ａに接続されるようになっており、これにより内部空間１００が下方向に延長された大型サイズのハンガーボックス１Ａが構成される。
【００２０】
このように、簡単な手順で延長ボックス３Ａの高さ分だけ下向きに延長された大型サイズのハンガーボックス１Ａは、図３（ａ）に示すように、背広６０ａや短尺のワンピース６０ｂ等の通常サイズの衣類とともに長尺のワンピース６１ａやコート６１ｂを収納することができ、長尺の衣類がない場合には、図３（ｂ）に示すように、延長した下側の内部空間に靴箱７０ａや小物箱７０ｂ，７０ｃを一緒に収納することができる。
【００２１】
図４は、他の係合手段による参考例を示しており、図４（ａ）は、上述した係合部材３
６１の円環状の本体３６１ａから側方に円筒状に突設した挿入体３６１ｂを、フラップ３
６ａの係合孔である係合構造３６０と側板２６ａの係合孔である係合構造２６０に外側から挿通して両者を係合することに加え、内側から係合部材３６１と同様の構成でそれよりも小径の係合部材３６５を挿入体３６１ｂの内周側に嵌入することで、係合状態を補強したものである。
【００２２】
また、図４（ｂ）は、円環状の本体３６３ａの内周側から側方に爪３６３ａ（図示せず
），３６３ｂ，３６３ｃ，３６３ｄを延設してなる係合部材３６３を用いて、係合孔である係合構造３６０，２６０を挿通して係合する方式であり、図４（ｃ）は、円環状の本体３６４ａの内周部に爪部材３６４ｂ，３６４ｃの基端側を軸支してなる係合部材３６４を用いて、係合孔である係合構造２６０，３６０を挿通しながら爪部材３６４ｂ，３６４ｃの先端側を裏側で開いて係合状態を補強する方式であるが、いずれの係合手段も短時間で係合作業を完了することができる。
【００２３】
図５は、上述したハンガーボックス２Ａ本体を延長ボックス３Ｂで延長してなるハンガ
ーボックス１Ａの応用例としての延長したハンガーボックス１Ｂを示している。この例では、側板３７ａ，３７ｂ（図示せず）に設けた係合孔である係合構造３６０ａの上方にもう１つの係合孔である係合構造３６０ｂが各々設けられており、係合部材３６１による係合位置を上下方向に変更することで複数段階の高さ調整を可能とした点を特徴としている
。
【００２４】
これにより、係合位置を変えるだけで内部空間の細かい高さ調整が容易に行えるようになり、収納及び搬送における効率が一層高いものとなる。また、高さ方向に位置を変えて設ける係合孔は、ハンガーボックスのフラップ側に設けてもよく、ハンガーボックスと延長ボックスの両方に設けてもよい。
【００２５】
尚、上述した実施の形態及び実施例においては、係合孔と係合部材が正面視円形である場合を説明したが、この形状に限定されないことは言うまでもなく、例えば四角形であってもよい。また、ハンガーボックスのフラップは、延長ボックスの側板の裏面に近接させて接続することに限定されず、側板の表面に近接させて係合してもよい。さらに、フラップごとに重ね合わせる側を交互に変えて接続してもよく、これにより下向きの荷重に対する強度が増したものとなる。
【００２６】
図６（ａ）は、本発明における第２の実施の形態を構成するハンガーボックス本体２Ｂ及び延長ボックス３Ｃを示しており、図６（ｂ）はこれらを接続して延長してなるハンガ
ーボックス１Ｃを示している。この実施の形態では、ハンガーボックス本体２Ｂにおけるフラップ２７ａ，２７ｂ，２７ｃ，２７ｄに設けた係合構造が、面状ファスナを構成する一方の係合部材４０で構成され、他方の係合部材４１が延長ボックス３Ｃの側板３８ａ，３８ｂの対応位置に各々配設された構成となっており、その対の係合部材４０，４１の組合せが係合手段を兼ねている点を特徴としている。
【００２７】
また、その延長ボックス３Ｃは、４枚の側板３８ａ，３８ｂ，３８ｃ，３８ｄの上端側から各々延設された４枚のフラップ３９ａ，３９ｂ，３９ｃ，３９ｄを備えており、その４枚のフラップ３９ａ，３９ｂ，３９ｃ，３９ｄを開口部の閉鎖方向に屈曲することで延長ボックス３Ｃの上蓋を構成するとともに、フラップ同士が重なって接触する位置で係合部材４０，４１が対向した対になる構成となっている。
【００２８】
そのため、係合手段を用いた接続作業が一層容易になることに加え、ハンガーボックス本体２Ｂを延長ボックス３Ｃで延長した状態で、その内部空間下部側において延長ボックス３Ｃの４枚のフラップ３９ａ，３９ｂ，３９ｃ，３９ｄを閉めながら係合部材４０，４
１の組合せを面状ファスナとして用いることで蓋を閉めれば、内部に仕切りを設けることが可能なものとなる。
【００２９】
また、ハンガーボックス本体２Ｂを延長しない状態では、延長ボックス３Ｃを通常の梱包箱として使用することも可能であり、且つ、そのときにハンガーボックス本体２Ｂを単独で使用する場合は、フラップ２７ａ，２７ｂ，２７ｃ，２７ｄの適宜位置に設けた係合部材４０，４１が面状ファスナとして底面を閉鎖して底蓋にする場合の係合手段とすることも可能である。
【００３０】
以上、述べたように、ハンガーボックスについて、本発明によりその高さを容易に変更できるようになり、収容する衣類の長さに合わせて多数種類のハンガーボックスを用意することを要しない。
【符号の説明】
【００３１】
１Ａ，１Ｂ，１Ｃ  ハンガーボックス、２Ａ，２Ｂ  ハンガーボックス本体、３Ａ，３Ｂ，３Ｃ  延長ボックス、２２，２３，２４，２５，３６ａ，３６ｂ，３６ｃ，３６ｄ，３７ａ，３７ｂ，３８ａ，３８ｂ，３８ｃ，３８ｄ  側板、２６ａ，２６ｂ，２６ｃ，２６ｄ，２７ａ，２７ｂ，２７ｃ，２７ｄ，３９ａ，３９ｂ，３９ｃ，３９ｄ  フラップ、４０，４１，３６１  係合部材、１００  内部空間、２００  ハンガーバー、２６０，３６０  係合構造
【図１】
2020100409.tif 000003
【図２】
2020100409.tif 000004
【図３】
2020100409.tif 000005
【図４】
2020100409.tif 000006
【図５】
2020100409.tif 000007
【図６】
2020100409.tif 000008